(57)【特許請求の範囲】
【請求項１】
建築物の換気通路内に不燃性邪魔板を配置して構成した防火ダンパーに於いて、前記不燃性邪魔板を移動自在に設けると共に、該不燃性邪魔板の所定位置に不燃性熱膨張材を一体的に取付けて構成し、前記不燃性熱膨張材の熱膨張により前記不燃性邪魔板を移動させて前記換気通路を閉鎖することを特徴とした換気用防火ダンパー。
【請求項２】
前記不燃性邪魔板に一体的に取付けられた前記不燃性熱膨張材を前記換気通路内の所定位置に固定して構成したことを特徴とした請求項１の換気用防火ダンパー。
【発明の詳細な説明】
【０００１】
【発明の属する技術分野】
本発明は建築物の換気通路内に設けられた防火用のダンパーに係り、特に換気通路内に不燃性邪魔板が移動自在に設けられると共に、この不燃性邪魔板の所定位置に火災時等に作動することが出来る加熱作動部材が一体的に取付られて構成された換気用防火ダンパーに関するものである。
【０００２】
【従来の技術】
従来のこの種の防火装置としては、例えば特開平７−１１９２１９号公報に示す建物の軒天部に設ける通気部の防火装置（第１公知技術）、特開平７−２７９５５４号公報に示す防火ダンパー付換気装置（第２公知技術）、或いは特開平１１−１５９０１８号公報に示す軒天井の換気構造（第３公知技術）等が知られている。
【０００３】
また、本件特許出願人が開発して特許出願した多くの発明の内の例えば特開平６−７３８２８号公報に示す天井の換気構造（第４公知技術）、特開平９−６０１８４号公報に示す軒天井の換気構造及びその構成金具（第５公知技術）、或いは特開平９−１０５２００号公報に示す防火換気構造（第６公知技術）等が知られている。
【０００４】
【発明が解決しようとする課題】
然るに、前述の第１公知技術乃至第３公知技術に於いては、全体の構造が複雑であると共に、温度ヒューズ、特殊なスプリング等を使用しなければならないので、コスト高になると共に、温度ヒューズやスプリングが一定の高温に達した際に、均一に作動することが困難であり、従って不良品が発生する等の問題があった。
【０００５】
また、前述の本件特許出願人が開発した第４公知技術乃至第６公知技術に示す技術に於いては、建築物の換気通路内の所定位置に不燃性熱膨張材を取付け、火災時等に換気通路内が一定の温度に加熱された際には、前記不燃性熱膨張材が熱膨張し、換気通路を簡単かつ確実に閉鎖し、火炎や熱気が屋内に侵入したり、或いは屋内から建物の外に排出されることを防止し得る作用効果を有していた。
【０００６】
然るに、前述の従来の不燃性熱膨張材を換気通路に設けた技術に於いては、この不燃性熱膨張材が火災時の火炎、熱気を直接に受けるので、その一部が損傷し、換気通路の遮断能力が少し下落する心配があった。また、一般的に前記不燃性熱膨張材を換気通路の入口付近に配置するので、風雨に直接触れる場合があり、その熱膨張性能が劣化する心配もあった。
【０００７】
更に、前記不燃性熱膨張材によって火災時の火炎、熱気を確実に遮断するためには、不燃性熱膨張材の膨張時の膨張密度を一定に保つ必要があり、そのために膨張の高さを１０ｍｍ程度に抑えなければならなかった。従って、このような制限があるために、大きな断面積を有する換気通路に於いては、不燃性熱膨張材を用いて換気通路を完全に閉鎖することが困難になる問題があった。
【０００８】
本発明に係る換気用防火ダンパーは、前述の従来の問題点に鑑み開発された全く新しい技術であって、特に建築物の換気通路内に不燃性邪魔板を移動自在に配置し、かつ該不燃性邪魔板の所定位置に不燃性熱膨張材を取付け、火災時に換気通路内に火炎や熱気が侵入した際に、前記不燃性熱膨張材が高温度で作動して前記不燃性邪魔板を移動させて換気通路を遮断することが出来るように構成した全く新しい防火ダンパーの技術を提供するものである。
【０００９】
【課題を解決するための手段】
本発明に係る換気用防火ダンパーは、前述の従来の問題点を根本的に改善した発明であって、その第１発明の要旨は、建築物の換気通路内に不燃性邪魔板を配置して構成した防火ダンパーに於いて、前記不燃性邪魔板を移動自在に設けると共に、該不燃性邪魔板の所定位置に不燃性熱膨張材を一体的に取付けて構成し、前記不燃性熱膨張材の熱膨張により前記不燃性邪魔板を移動させて前記換気通路を閉鎖することを特徴とした換気用防火ダンパーである。
【００１０】
前述の第１発明では、換気通路内に不燃性邪魔板を配置して構成した防火ダンパーに於いて、前記不燃性邪魔板を移動自在に設けると共に、該不燃性邪魔板の所定位置に不燃性熱膨張材を一体的に取付けて構成したので、火災が発生して前記換気通路内が一定の高温度に達した場合には、該不燃性熱膨張材が熱膨張して不燃性邪魔板を所定の方向に移動させ、これによって不燃性邪魔板で換気通路を遮断し、換気通路内に火炎や熱気が侵入することを防止出来る。
【００１１】
本発明の換気用防火ダンパーの第２発明の要旨は、前記不燃性邪魔板に一体的に取付けられた不燃性熱膨張材を換気通路内の所定位置に固定して構成したことを特徴とした第１発明の換気用防火ダンパーである。
【００１２】
前述の第２発明に於いては、換気通路内に移動自在に配置された前記不燃性邪魔板に一体的に取付けられた不燃性熱膨張材を換気通路内の所定位置に固定して構成したので、この不燃性熱膨張材を介して不燃性邪魔板を安定した状態で換気通路の内壁面に固定することが出来る。従って、不燃性邪魔板の移動を安定させることが出来る。
【００１３】
【発明の実施の形態】
図により本発明に係る換気用防火ダンパーの一実施例を具体的に説明すると、図１（ａ），（ｂ）は本発明に係る第１実施例の防火ダンパーを軒天井の先端側に取付けた状態の断面図、図２（ａ），（ｂ）は図１の防火ダンパーを軒天井の元部に取付けた状態の断面図、図３は図１の防火ダンパーを棟部に設けた通常時の断面図、図４は図３の防火ダンパーが作動する状態を示す断面図である。
【００１４】
図５（ａ），（ｂ）は本発明の第２実施例の防火ダンパーを土台部に設けた状態の断面或いは斜視説明図、図６は図５の防火ダンパーが作動した状態を示す断面図、図７は図５の防火ダンパーを下屋部に設けた状態を示す断面図、図８は図５の防火ダンパーを垂直換気通路の複数個所に設けた状態の断面図、図９（ａ），（ｂ）は図８の防火ダンパーの一部が作動する状態の断面拡大図である。
【００１５】
［実施例１］
図１（ａ），（ｂ）は軒天井の先端側に本発明の防火ダンパーの内のＡ型防火ダンパーを取付けた実施例であって、１は軒先の屋根、２は軒先に取付けられた鼻隠し板、３は不燃性の軒天井板であって、この軒天井板３の先端部と鼻隠し板２との間には所定巾の換気口４が設けられている。
【００１６】
この換気口４にはＡ型防火ダンパー５が嵌め込まれている。そしてこのＡ型防火ダンパー５は、前記鼻隠し板２の裏側に配置された下地板６より吊り下げられたブラケット７に、ボルト８を介して取付固定されている。
【００１７】
前記Ａ型防火ダンパー５は特に図１（ａ）によって明らかな如く、下部に通気口９を有する外筒ケース１０と、該外筒ケース１０の内底面に載置された不燃性の邪魔板１１と、この邪魔板１１と外筒ケース１０の内底面との間に介在された不燃性熱膨張材１２とより構成されている。
【００１８】
前記Ａ型防火ダンパー５の外筒ケース１０の上面には通気孔１３が穿設されており、外筒ケース１０内には、該通気孔１３と前記通気口９に至る換気通路Ｓが設けられている。また、外筒ケース１０の右側部には、前記軒天井板３の端部を挟持し得る所定の溝形状を持った挟持部１０ａが設けられている。
【００１９】
Ａ型防火ダンパー５は、前述のような構造を有するので、火災が発生し、換気通路Ｓ内が一定の高温度に達した場合には前記不燃性熱膨張材１２が加熱されて膨張し、これによって邪魔板１１を押し上げ、邪魔板１１で外筒ケース１０に設けられた通気孔１３を閉鎖し、換気通路Ｓ内に火炎や熱気が侵入することを防止出来る。
【００２０】
前述の実施例に於いては、Ａ型防火ダンパー５を軒天井の先端側、即ち鼻隠し板２に添って取付けて構成したが、Ａ型防火ダンパー５は、図２（ａ），（ｂ）に示す如く、軒天井の元部側、即ち外壁１４に添って取り付けて構成することも可能である。この図２（ａ），（ｂ）の場合には、図１（ａ），（ｂ）に示す構造の防火ダンパー５とほぼ構造作動及び作用効果を同一にしているので、詳細な説明は省略する。
【００２１】
しかし、図２の場合には、邪魔板１１の片側がカギ状に折れ曲がって形成された吊下片１１ａが邪魔板１１に一体的に設けられており、この吊下片１１ａによって屋内側から侵入する火炎から不燃性熱膨張材１２を保護し得るように構成されている。
【００２２】
［実施例２］
図３は屋根１の棟部１５の両側に設けられた換気口１６の裏側に第２実施例のＢ型防火ダンパー１７を構成した構造である。
【００２３】
この実施例の場合には、換気口１６の裏側に所定の間隔を保って段々状に折り曲げて形成されたイナズマ板１７ａを配置し、かつこのイナズマ板１７ａはビス、ボルト１８を介して前記棟部１５と共に野地板１９に取付け固定されている。このイナズマ板１７ａと棟部１５との間には夫々換気通路Ｓを形成している。
【００２４】
イナズマ板１７ａには換気通路Ｓに面して一対の不燃性熱膨張材２０が所定の間隔を保って固着されており、更にこれ等の一対の不燃性熱膨張材２０の頂面には、棟部１５の換気口１６に設けられた通気孔２１を閉鎖することが出来る所定巾の不燃性の邪魔板２２が取付けられている。前述の実施例に於いては、複数の通気孔２１に対応して、複数の邪魔板２２を設けて構成したが、巾広の邪魔板２２を使用した場合には、図示しない１個の邪魔板２２のみで構成することも可能である。
【００２５】
第２実施例のＢ型防火ダンパー１７は、前述の如き構造を有するので、火災が発生してＢ型防火ダンパー１７内の不燃性熱膨張材２０が一定の高温度に達した場合には、図４に示す如く、この不燃性熱膨張材２０が膨張して邪魔板２２を押し上げ、該邪魔板２２で棟部１５の換気口１６の通気孔２１を閉鎖し、これによって換気通路Ｓ内に火炎や熱気が侵入することを防止出来る。
【００２６】
［実施例３］
図５（ａ），（ｂ）及び図６によって、基礎部の換気通路にＣ型防火ダンパーを取付けた実施例を説明する。
【００２７】
図に於いて、２３は基礎であって、この基礎２３上には土台２４が載置されている。該土台２４の外方には外壁１４が所定の間隙を保って設けられると共に、該外壁１４の下部と、基礎２３及び土台２４との間には空間２５が形成されている。土台２４の外側起立面に沿って不燃性下地材２６が垂直方向に配設され、この不燃性下地材２６と外壁１４との間には垂直方向の換気通路２７が形成されている。また、前記基礎２３と土台２４との間には複数の基礎パッキン２８が介在され、これ等の間には水平方向の換気通路２９が形成されている。
【００２８】
３０はＣ型防火ダンパーであって、前記基礎部の空間２５内に収納されている。このＣ型防火ダンパー３０は、上部にビス３１等を介して土台２４に固定される垂直取付部３２を有し、その下部は二又状に多機能水切り３３と基礎押さえ３４とに分離されている。多機能水切り３３は外壁１４の下端部外方に突出され、かつ基礎押さえ３４は基礎２３上に載置されており、これ等の多機能水切り３３と基礎押さえ３４との間には換気通路Ｓが形成されている
【００２９】
更に、基礎押さえ３４の下端はほぼＵ字状に折れ曲がって、その内部に凹部３５を形成している。前記多機能水切り３３と基礎押さえ３４とには、特に図５（ｂ）に示す如く、横方向に並列された通気孔３６が穿設されている。従って前述の換気通路Ｓを通過した空気は、これ等の通気孔３６を通って、換気通路２７及び換気通路２９に流入することが出来るように構成されている。
【００３０】
３７は不燃性の邪魔板であって、その先端部は前記換気通路Ｓ内に移動自在に挿入され、かつその下端部は前記凹部３５内に挿入されている。また、この邪魔板３７の下端部と基礎押さえ３４の間には不燃性熱膨張材３８が介在されている。前記邪魔板３７の下端部は不燃性熱膨張材３８を介して基礎押さえ３４に取付固定することが可能である。
【００３１】
前述の第３実施例に於いては、火災が発生して不燃性熱膨張材３８の周りが一定の高温度に達した場合には、図６に示す如く、該不燃性熱膨張材３８が加熱膨張し、これによって邪魔板３７の先端部を換気通路Ｓ内で下方向に移動させ、邪魔板３７でこの換気通路Ｓを遮断し、この換気通路Ｓ内に火炎や熱気が侵入することを防止出来る。
【００３２】
前述のように基礎部の換気通路に設けたＣ型防火ダンパー３０は、図７に示す如く、下屋３９に設けた換気通路４０にも応用して取付けることが出来る。この実施例の場合には、Ｃ型防火ダンパー３０の基礎押さえ３４に通気孔３６を設けることは不要である。
【００３３】
更に、図８及び図９（ａ），（ｂ）に示す如く、建物全体の外壁１４とその裏側の不燃性下地材との間に形成される垂直方向の換気通路２７内の上段部、中段部、或いは下端部等の所望の位置にＣ型防火ダンパー３０を改良して作ったＣ型防火ダンパー３０ａを取付けて構成することも可能である。これ等の改良したＣ型防火ダンパー３０ａも、その基本的構造、作動及び作用効果は前記Ｃ型防火ダンパー３０とほぼ同一であるので、詳細な説明は省略する。
【００３４】
前記実施例に於ける不燃性熱膨張材としては、例えばオーストリアケミー・リンツ社製の「インツメックス」や特公昭６３−１３２９６８号公報或いは同平３−２３５号公報等に示す製品や技術を用いることが出来る。また、不燃性邪魔板としては、金属板或いは不燃性樹脂板等が使用可能である。
【００３５】
【発明の効果】
本発明に係る換気用防火ダンパーは、換気通路内に不燃性邪魔板を配置して構成した防火ダンパーに於いて、前記不燃性邪魔板を移動自在に設けると共に、該不燃性邪魔板の所定位置に不燃性熱膨張材を一体的に取付けて構成したので、火災が発生して前記換気通路内が一定の高温度に達した場合には、該不燃性熱膨張材が熱膨張して不燃性邪魔板を所定の方向に移動させ、これによって不燃性邪魔板で換気通路を遮断し、換気通路内に火炎や熱気が侵入することを防止出来る。
【００３６】
前述の本発明の防火ダンパーに於いては、不燃性の邪魔板を使用し、火災が発生した際にはこの邪魔板を不燃性熱膨張の熱膨張により移動して建物の換気部分、即ち換気口、換気通路等を閉鎖し、換気部分に火炎や熱気等が侵入することを防止するので、作動が容易であると共に、閉鎖或いは通路の遮断が確実である特徴を有している。更に、従来の不燃性熱膨張材のみで換気部分を閉鎖した場合に比較して、小量の不燃性熱膨張材で効率良く実施することが出来る。
【００３７】
また、本発明の換気用防火ダンパーに於いて、換気通路内に移動自在に配置された前記不燃性邪魔板に一体的に取付けられた不燃性熱膨張材を換気通路内の所定位置に固定して構成した場合には、この不燃性熱膨張材を介して不燃性邪魔板を安定した状態で換気通路の内壁面に固定することが出来る。従って、不燃性邪魔板の移動を安定させることが出来る特徴を有している。
【図面の簡単な説明】
【図１】  （ａ），（ｂ）は本発明に係る第１実施例の防火ダンパーを軒天井の先端側に取付けた状態の断面図である。
【図２】  （ａ），（ｂ）は図１の防火ダンパーを軒天井の元部に取付けた状態の断面図である。
【図３】  図１の防火ダンパーを棟部に設けた通常時の断面図である。
【図４】  図３の防火ダンパーが作動する状態を示す断面図である。
【図５】  （ａ），（ｂ）は本発明の第２実施例の防火ダンパーを土台部に設けた常態の断面或いは斜視説明図である。
【図６】  図５の防火ダンパーが作動した状態を示す断面図である。
【図７】  図５の防火ダンパーを下屋部に設けた状態を示す断面図である。
【図８】  図５の防火ダンパーを垂直換気通路の複数個所に設けた状態の断面図である。
【図９】  （ａ），（ｂ）は図８の防火ダンパーの一部が作動する状態の断面拡大図である。
【符号の説明】
１ …屋根
２ …鼻隠し板
３ …軒先天井板
４ …換気口
５    …Ａ型防火ダンパー
６ …下地板
７ …ブラケット
８ …ボルト
９ …通気口
１０ …外筒ケース
１０ａ…挟持部
１１ …邪魔板
１１ａ…吊下片
１２ …不燃性熱膨張材
１３ …通気孔
１４ …外壁
１５ …棟部
１６ …換気口
１７  …Ｂ型防火ダンパー
１７ａ…イナズマ板
１８ …ビス、ボルト
１９ …野地板
２０ …不燃性熱膨張材
２１ …通気孔
２２ …邪魔板
２３ …基礎
２４ …土台
２５ …空間
２６ …不燃性下地材
２７ …換気通路
２８ …基礎パッキン
２９ …換気通路
３０  …Ｃ型防火ダンパー
３０ａ…Ｃ型防火ダンパー
３１ …ビス、ボルト
３２ …垂直取付部
３３ …多機能水切り
３４ …基礎押さえ
３５ …凹部
３６ …通気孔
３７ …邪魔板
３８ …不燃性熱膨張材
３９ …下屋
４０ …換気通路
Ｓ …換気通路
【図１】
0004490531.tif 000002
【図２】
0004490531.tif 000003
【図３】
0004490531.tif 000004
【図４】
0004490531.tif 000005
【図５】
0004490531.tif 000006
【図６】
0004490531.tif 000007
【図７】
0004490531.tif 000008
【図８】
0004490531.tif 000009
【図９】
0004490531.tif 000010